(57)【要約】【課題】井水プラントを複数の施設に設置した場合に低コストで井水プラントの監視を行う。【解決手段】井水プラントを離れた複数の施設に設置した場合に、それぞれの井水プラントを施設側、保守会社側およびシステム提供会社側で監視するためのシステムであって、各井水プラントは、井戸から地下水揚水ポンプにより汲み上げられた水を貯留する原水槽と、水を殺菌する薬剤を貯蔵する薬剤槽と、殺菌された水を濾過する濾過装置と、濾過された水を貯留する処理水槽と、処理水槽または公共水道の水を選択的に貯留する受水槽と、少なくとも残留塩素濃度、井戸水位および薬剤貯蔵量を検出する設備監視センサとを備え、前記設備監視センサにより異常が検知されると、施設側監視制御装置はインターネットを介してシステム提供会社側監視制御装置へ警報を送信するとともに、井水プラントの運転を停止し公共水道を自動的に供給する。【選択図】図２
2006026572.tif 000002
【特許請求の範囲】
【請求項１】
井水プラントを離れた複数の施設に設置した場合に、それぞれの井水プラントを施設側、保守会社側およびシステム提供会社側で監視するためのシステムであって、
各井水プラントは、井戸から地下水揚水ポンプにより汲み上げられた水を貯留する原水槽と、水を殺菌する薬剤を貯蔵する薬剤槽と、殺菌された水を濾過する濾過装置と、濾過された水を貯留する処理水槽と、処理水槽または公共水道の水を選択的に貯留する受水槽と、少なくとも残留塩素濃度、井戸水位および薬剤貯蔵量を検出する設備監視センサとを備え、
前記設備監視センサにより異常が検知されると、施設側監視制御装置はインターネットを介してシステム提供会社側監視制御装置へ警報を送信するとともに、井水プラントの運転を停止し公共水道を自動的に供給することを特徴とする井水プラント監視システム。
【発明の詳細な説明】
【技術分野】
【０００１】
本発明は、水を多量に消費する病院、飲食店テナントビル、レジャー施設等の施設に好適に採用される井水プラント監視システムに関する。
【背景技術】
【０００２】
日本の水資源は天候に依るところが大きく、数年毎に渇水・節水という状況が発生し、また、河川の水質悪化は、それを水源とする水道の浄化コストに直接影響を及ぼしており、特に都市部の水道料金は今後もコスト高の状況が続くと予想されている。そこで近年、地下水を汲み上げ、これを殺菌、濾過し、飲料水等として利用する井水プラントが着目されている。地下水を飲用に供する場合、含有される重金属や農薬等の検査項目が定められており、濾過装置により浄化している（特許文献１参照）。
【特許文献１】特開２００３−１９０９３６
【発明の開示】
【発明が解決しようとする課題】
【０００３】
この井水プラントにおいては、停電時または装置のメンテナンス時など、一時的に地下水の供給を停止する場合には、公共水道から上水を供給する必要がある。また、残留塩素濃度、薬品の貯蔵量、井戸の水位、その他システムの異常を２４時間監視し、異常が発生した場合には警報を発し、異常箇所を修復する必要がある。この場合、一箇所の施設の井水プラントを監視する場合には現場にメンテナンス担当者を常駐させることにより容易に対応することができる。しかし、井水プラントを互いに離れた複数の施設に設置した場合に、それぞれの施設にメンテナンス担当者を常駐させることは、監視コストが上昇してしまう。
【０００４】
本発明は、上記従来の問題を解決するものであって、井水プラントを互いに離れた複数の施設に設置した場合でも、低コストで井水プラントの監視を行うことができる井水プラント監視システムを提供することを目的とする。
【課題を解決するための手段】
【０００５】
そのために本発明の井水プラント監視システムは、井水プラントを離れた複数の施設に設置した場合に、それぞれの井水プラントを施設側、保守会社側およびシステム提供会社側で監視するためのシステムであって、
各井水プラントは、井戸から地下水揚水ポンプにより汲み上げられた水を貯留する原水槽と、水を殺菌する薬剤を貯蔵する薬剤槽と、殺菌された水を濾過する濾過装置と、濾過された水を貯留する処理水槽と、処理水槽または公共水道の水を選択的に貯留する受水槽と、少なくとも残留塩素濃度、井戸水位および薬剤貯蔵量を検出する設備監視センサとを備え、
前記設備監視センサにより異常が検知されると、施設側監視制御装置はインターネットを介してシステム提供会社側監視制御装置へ警報を送信するとともに、井水プラントの運転を停止し公共水道を自動的に供給することを特徴とする。
【発明の効果】
【０００６】
本発明によれば、井水プラントを離れた複数の施設に設置した場合でも、低コストで井水プラントの監視を行うことができる。また、従来、井水プラントで孤立して存在していた機器の計測値、状態及び警報情報をインターネットを介することにより、どこからでも一元的に監視することができ、人件費・交通費等の管理コストを削減することができる。
【発明を実施するための最良の形態】
【０００７】
図１〜図５は本発明の井水プラントの監視システムの１実施形態を示し、図１は本発明が適用される井水プラントの構成図である。
図１において、井水プラントは、深井戸に設置された地下水揚水ポンプ１により汲み上げられた水を貯留する原水槽３と、薬剤を貯蔵する薬剤槽２、４と、殺菌された水を濾過する濾過装置５と、濾過された水を貯留する処理水槽６と、処理水槽６または公共水道８の水を選択的に貯留する受水槽７とを備えている。薬剤槽２からは図示しないポンプを介して殺菌剤である次亜塩素酸ソーダが供給され、薬剤槽４から図示しないポンプを介して凝集剤であるＰＡＣが供給される。なお、濾過装置５は、砂濾過槽と膜濾過槽とが直列に配置されることが望ましい。処理水槽６の出口には塩素濃度センサが設けられ、残留塩素濃度により薬剤槽２からの注入薬剤量を制御するようにしている。受水槽７に貯留された水は、施設９に送られる。停電時またはプラントに異常があった時など、一時的に地下水の供給を停止した場合には、公共水道８から受水槽７に上水を自動的に供給する。
【０００８】
本発明は、図１の井水プラントを互いに遠く離れた複数の施設に設置した場合に、それぞれの井水プラントを施設側のみならず、システム提供会社側および保守会社側で監視、管理するためのシステムである。図２は、井水プラントの監視システムの例を示す構成図である。本例では、施設Ａに２つの井水プラントＡ＝１、Ａ−２が設置され、施設Ｂに１つの井水プラントＢが設置されているが、実際には井水プラントは全国各地に多数設置され、その保守会社もそれぞれの地域に分散している。
【０００９】
井水プラントの設備監視センサ１０により異常が検知されると、施設側監視制御装置１１はインターネット１２を介してシステム提供会社側監視制御装置１３へ警報データを送信するとともに、井水プラントの運転を停止し公共水道を自動的に供給するようにしている。システム提供会社側監視制御装置１３は、送信を受けると自動的に当該井水プラントの保守を担当する保守会社側監視制御装置１４へインターネットを介して警報データを送信するとともに、保守会社は巡回中の保守担当者に携帯電話にて通知し、保守担当者は施設に急行し点検修理修復を行うようにしている。
【００１０】
設備監視センサ１０により警報データを送信する場合は以下のとおりである。
（１）残留塩素濃度の計測値が予め設定された許容範囲から逸脱した場合
（２）薬剤の貯蔵量が予め設定された貯蔵量を下回った場合
（３）地下水揚水ポンプを含む全てのポンプのいずれかに異常が発生した場合
（４）井戸の水位が予め設定した水位を下回った場合
（５）その他システムが異常を検知した場合
【００１１】
上記の項目を監視するために、井水プラントには設備監視センサ１０が設けられている。すなわち、処理水槽６の出口には残留塩素濃度センサが設けられ、薬剤槽２，４には薬剤貯蔵量センサが設けられ、井戸には井戸水位センサが設けられ、また、原水槽３、濾過装置５、処理水槽６の入口、出口配管には配管内水圧センサが設けられ、処理水槽６の出口配管には積算流量計が設けられている。
【００１２】
図２の施設側監視制御装置１１、システム提供会社側監視制御装置１３および保守会社側監視制御装置１４は、インターネット１２のウエブサイトでホームページを共有し、ホームページには、図３に示すシステム系統監視画面が表示される。ここでは、図１のシステム系統と設備監視センサ１０で検知した値が表示され、どの箇所で異常が発生したかを判別することができる。
【００１３】
図４及び図５は監視画面の例を示し、図４に示すように、所定時間毎に、井戸水位、濾過装置の入口圧及び出口圧、残留塩素濃度、積算流量が集計され、保存される。また、図５に示すように、各種ポンプのオンオフ状態、各槽の水位状態の履歴が所定時間毎に集計され、保存される。
【図面の簡単な説明】
【００１４】
【図１】本発明が適用される井水プラントの構成図である。
【図２】本発明の井水プラントの監視システムの１実施形態を示すシステム構成図である。
【図３】監視画面の例を説明するための図である。
【図４】監視画面の例を説明するための図である。
【図５】監視画面の例を説明するための図である。
【図１】
2006026572.tif 000003
【図２】
2006026572.tif 000004
【図３】
2006026572.tif 000005
【図４】
2006026572.tif 000006
【図５】
2006026572.tif 000007